(57)【要約】【課題】刈幅の全幅にわたってエアカーテンを形成することで、引起し時に発生する埃の浮上防止効果を高め、衛生的環境のもとでの作業を能率よく行わしめる。【解決手段】分草後の穀稈を引き起す複数の引起し装置（１０）の上部から前方へエアを吹き出して全刈幅にわたるエアカーテン（Ａｃ）を形成するエア噴出ダクト（１５）を設ける。また、エア噴出ダクト（１５）によって、各引起し装置（１０）の引起しケース（１０ａ）の上端部間を連結する。また、エア噴出ダクト（１５）を、左右方向の横軸（１８）芯周りに回動固定自在な構成とする。【選択図】      図４
2011045310.tif 000002
【特許請求の範囲】
【請求項１】
分草後の穀稈を引き起す複数の引起し装置（１０）の上部から前方へエアを吹き出して全刈幅にわたるエアカーテン（Ａｃ）を形成するエア噴出ダクト（１５）を設けたことを特徴とするコンバイン。
【請求項２】
前記エア噴出ダクト（１５）によって、各引起し装置（１０）の引起しケース（１０ａ）の上端部間を連結したことを特徴とする請求項１記載のコンバイン。
【請求項３】
前記エア噴出ダクト（１５）を、左右方向の横軸（１８）芯周りに回動固定自在な構成としたことを特徴とする請求項１記載のコンバイン。
【発明の詳細な説明】
【技術分野】
【０００１】
この発明は、立毛穀稈を引き起しながら刈り取り、脱穀部に搬送供給して脱穀処理するコンバインに関する。
【背景技術】
【０００２】
従来、例えば、特許文献１には、刈取部の穀稈引起し装置の前側上端部に、刈取前の穀稈に対し熱風を吹き付けて穀稈に付着の露を払い落す噴風ダクトを備えたコンバインにおける露払い装置が開示されている。
【先行技術文献】
【特許文献】
【０００３】
【特許文献１】実開昭５８−８０８２６号公報
【発明の概要】
【発明が解決しようとする課題】
【０００４】
上記従来構成のものは、引起し装置の左右全幅にわたって熱風を吹き付けるものではなく、引起し経路の前方のみ穀稈に直接吹き付けるものであるため、引起し時に発生する塵埃の浮上防止効果は充分に得られず、引起し経路以外の引起しケース前面から上方に舞い上がり、風向きによっては舞い上がった塵埃が運転部のオペレータにふりかかる問題がある。
【０００５】
本発明では、引起し装置の左右全幅にわたってエアカーテンを形成することで、上記問題点を解消し、塵埃の浮上防止効果を高め、衛生的環境のもとでの作業を可能とし、作業能率の向上を図るようにしたものである。
【課題を解決するための手段】
【０００６】
この発明は、上記課題を解決すべく次のような技術的手段を講じた。
すなわち、請求項１記載の発明は、分草後の穀稈を引き起す複数の引起し装置（１０）の上部から前方へエアを吹き出して全刈幅にわたるエアカーテン（Ａｃ）を形成するエア噴出ダクト（１５）を設けたことを特徴とするコンバインとする。
【０００７】
引起し装置（１０）上部のエア噴出ダクト（１５）から噴出されるエアが各引起し装置（１０）の上部より前方に向けて噴出される。この噴出されるエアによって刈幅の全体にわたってエアカーテン（Ａｃ）が形成されるので、引起し時に発生する塵埃の舞い上がりが抑制され、運転部でのオペレータに埃を被ることがなくなる。
【０００８】
請求項２記載の発明は、前記エア噴出ダクト（１５）によって、各引起し装置（１０）の引起しケース（１０ａ）の上端部間を連結したことを特徴とする請求項１記載のコンバインとする。
【０００９】
各引起しケース（１０ａ）がエア噴出ダクト（１５）により連結されるので、ダクト自体が強固に保持され、引起し装置（１０）の強度も堅固に確保される。
請求項３記載の発明は、前記エア噴出ダクト（１５）を、左右方向の横軸（１８）芯周りに回動固定自在な構成としたことを特徴とする請求項１記載のコンバインとする。
【００１０】
エア噴出ダクト（１５）は横軸（１８）芯周りに回動させることができるので、エアの噴出方向を必要に応じて適宜変更することができる。例えば、穀稈が長稈の場合は、その穀稈の穂部より上方を略水平方向前方に向けて送風し、短稈の場合には前方下方に向けて送風する。
【発明の効果】
【００１１】
請求項１記載の発明によれば、エア噴出ダクト（１５）から噴出されるエアによって引起し装置（１０）の前方部で刈幅の全幅にわたってエアカーテン（Ａｃ）が形成されるので、引起し時に発生する塵埃の舞い上がりが抑制されると共に、オペレータへの防塵効果を高め、衛星的環境のもとに作業を能率よく行うことができる。
【００１２】
請求項２記載の発明によれば、上記請求項１記載の発明の効果に加えて、各引起しケース（１０ａ）の上端部がエア噴出ダクト（１５）によって連結保持されるので、エア噴出ダクト（１５）自体を強固に保持することができ、且つ、引起し装置（１０）自体の強度も堅固に保持することができる。
【００１３】
請求項３記載の発明によれば、上記請求項１記載の発明の効果を奏するものでありながら、エア噴出ダクト（１５）が横軸（１８）芯周りに回動固定自在であるため、エアの噴出方向を穀稈の長短等によって適宜変更調節することができる。
【図面の簡単な説明】
【００１４】
【図１】コンバインの側面図
【図２】同上平面図
【図３】同上正面図
【図４】コンバイン要部の拡大側面図
【図５】コンバインの拡大正面図
【図６】刈取部の要部の側面図
【図７】制御ブロック回路図
【図８】引起しラグの正面図
【図９】同上底面図
【図１０】汎用コンバインの側面図
【図１１】汎用コンバインの平面図
【発明を実施するための形態】
【００１５】
この発明の実施例を図面に基づき説明する。
図１〜図３は、コンバインの構成例を示すものであり、この走行車体１には、左右一対の走行クローラ２，２を備え、後部に搭載した脱穀装置（脱穀部）４の前方部に刈取部３を設置し、刈取部の横側部には運転席５や操作ボックス６等からなる運転操作部を備え、更に、その運転操作部の後方には脱穀粒を一時的に貯留するグレンタンク７を装備している。
【００１６】
刈取部３は、導入された植立穀稈を左右に分草する分草体９と、分草後の穀稈を下部側から穂先側に作用させて引き起す引起し装置１０と、引起し後の穀稈を刈り取る刈取装置１１と、刈取後の穀稈を掻込搬送する掻込搬送装置１２と、掻込搬送後の穀稈を引き継いで揚上搬送しながら後方の脱穀部４に受け渡し供給する揚上搬送装置１３等からなる。
【００１７】
引起し装置１０は、３条の穀稈を引き起すべく３基の引起し装置によって構成され、引起しケース１０ａと該ケース内から引起し経路内に突出する引起しラグ１０ｂ等からなる。
【００１８】
各引起しケース１０ａ，１０ａ，１０ａの上方部で、各ケースの左右全幅にわたり、機体前方方向に向けてスリット状の噴出口１４を開設したエア噴出ダクト１５を構成して設け、このダクト１５には送風機１６を連通して設けると共に、引起し装置の前方に向け噴出口１４からエアを噴出させてエアカーテンＡｃを形成すべく構成している。図４に示すように、噴出口１４から噴出されるエアカーテンは、引起し時における穀稈穂先部の上方を前方に向けて通過するようになっている。従って、引起し時に発生する埃は、エアカーテンＡｃによって遮られることになり、埃が上方に舞い上がって後方の運転部にまで及ぶことがなくなる。
【００１９】
前記エア噴出ダクト１５は、図５に示す実施例では、各引起しケース１０ａ，１０ａ，１０ａの上端部に一体的に連結保持させた構成としている。これによれば、ダクトが強固に固定され、引起し装置の強度も充分に確保される。
【００２０】
また、図６に示す実施例では、エア噴出ダクト１５は、円筒形に構成すると共に、引起し装置の上部を覆う上部カバー１７内に内装軸架し、左右方向の横軸１８芯周りに回動固定自在に構成している。エア噴出ダクトを横軸１８周りに回動させると、噴出口１４の向き角度が上下に変化し、噴出方向を穀稈の長短に応じて適宜変更することができるようになっている。その手段は、図６例では、手動操作で制御モータ１９を回転駆動することにより、上下アーム２０ｄ，２０ｕ及びロッド２１を介して角度変向調整が容易にできる構成としている。
【００２１】
なお、エア噴出ダクトの噴出方向の角度調整は、扱室内への穀稈供給深さを調節する供給調節センサ２２（図７）による穀稈の長短検出結果に基づき、自動的に角度変向を行うように構成してもよい。例えば、長稈時は水平方向、短稈時は斜め下方に送風し、常に、穀稈の穂先よりやや上方に向け送風することで、エアカーテンの作用効果を高めることができる。
【００２２】
前記送風機１６は、刈取部の非作業位置への上昇に連動して停止するように構成しておくと省エネを図ることができる。その手段は、例えば、図７に示すように、刈取上下検出センサ２３による刈取上昇検出結果に基づき、制御部２４を介してブロアモータ２５の駆動をＯＦＦにし、送風機１６を停止する。
【００２３】
また、引起し時に発生する埃の量を検出する埃検出センサ２６を設け、この埃検出センサ２６の埃検出結果に基づき、エア噴出ダクト１５から自動的にエアを噴出するようブロアモータ２６を駆動する構成とすることもできる。
【００２４】
更に、引起し時の籾飛散量を検出する籾飛散量検出センサ２７を設け、この籾飛散量検出結果に基づき、ブロアモータ２５を駆動してエアを自動的に噴出する構成とすることもでき、これにより、エアカーテンの発生で、籾のオペレータへの飛散を未然に防止することができる。
【００２５】
車速が設定速度以上になると、車速検出センサ２８の検出によりブロアモータの駆動をＯＦＦにし送風機１６が自動停止するように構成しておくと、設定車速以上は刈取作業を行わない速度設定であるため、送風機が自動停止することで、省エネを図ることができる。
【００２６】
また、副変速を走行レンジに（副変速位置検出センサ２９で検出）すると、送風機１６が自動停止するように構成することもできる。
図８及び図９に示す実施例は、引起しラグ１０ｂの先端部幅Ｄ１を基端部幅Ｄ２よりも狭くした構成としている。この構成によると、地面にべったりとタオｒ多倒伏稈を引き起す場合に有効で、地表面に食い込むように接して確実に掬い上げることができる。
【００２７】
次に、汎用コンバインの実施例について説明する。図１０及び図１１に示す実施例は、掻込リール３０ａ付汎用刈取部３０のテーブル下方に設置したキャスター３４を利用し、刈取部３０と刈取部のフィーダハウス３０ｂ及びスレッシャ型の汎用脱穀部３１全体を、旋回フレーム３２を介して縦軸３３回りで機体左側方へ旋回オープンするように構成したものにおいて、走行フレーム３５の上に旋回フレーム３２を配置し、旋回フレーム３２上に汎用脱穀部３１を搭載し、走行フレーム３５上を旋回フレーム３２がスライド移動するように構成することで、安定したスライド移動が円滑に行える。走行フレーム３５と旋回フレーム３２との間には摩擦係数の小さい転動ローラ３６を介在させている。これにより、刈取脱穀部の旋回オープンが軽い操作力で迅速に行える。
【００２８】
機体前後方向の中央部にエンジンＥを配置した汎用コンバインにおいて、機体後部の左側に設置した縦軸３３を回動中心として、刈取脱穀部を一体で機体左側方に旋回オープンする構成とすることで、エンジンＥ及び各部への動力伝達機構部のメンテナンスが容易に行える。
【００２９】
刈取上下シリンダー３７は、旋回フレーム３２と刈取部のフィーダハウス３０ｂ間で支持する構成になっており、刈取上下シリンダを取り外すことなく、刈取脱穀部と一体で旋回オープンすることができる。
【符号の説明】
【００３０】
１０    引起し装置
１０ａ  引起しケース
１４    噴出口  
１５    エア噴出ダクト
１６    送風機
１８    横軸
Ａｃ    エアカーテン
【図１】
2011045310.tif 000003
【図２】
2011045310.tif 000004
【図３】
2011045310.tif 000005
【図４】
2011045310.tif 000006
【図５】
2011045310.tif 000007
【図６】
2011045310.tif 000008
【図７】
2011045310.tif 000009
【図８】
2011045310.tif 000010
【図９】
2011045310.tif 000011
【図１０】
2011045310.tif 000012
【図１１】
2011045310.tif 000013